【手続補正書】
【提出日】平成25年9月24日(2013.9.24)
【手続補正１】
【補正対象書類名】特許請求の範囲
【補正対象項目名】全文
【補正方法】変更
【補正の内容】
【特許請求の範囲】
【請求項１】
患者の心血管情報を明らかにするためのシステムであって、
前記患者の解剖学的構造体の幾何学的形状に関する患者固有のデータを受信し、
前記患者固有のデータに基づいて前記解剖学的構造体の第一の部分を表す三次元モデルを作成し、
心筋組織の質量または体積に少なくとも一部は基づいて、前記解剖学的構造体の前記第一の部分内の血流の特徴に関する物理学に基づくモデルを作成し、そして
前記三次元モデルおよび前記物理学に基づくモデルに基づいて、前記解剖学的構造体の前記第一の部分内の冠血流予備量比を特定するように構成された、
少なくとも１つのコンピュータシステム
を備え、
前記解剖学的構造体は、大動脈から発する複数の冠動脈の少なくとも一部分を含み、
前記解剖学的構造体の前記第一の部分は、前記複数の冠動脈の少なくとも前記部分を含む、システム。
【請求項２】
前記冠血流予備量比が、前記複数の冠動脈の第一の位置における圧力と前記第一の位置から上流の第二の位置における圧力との比を示し、そして
前記少なくとも１つのコンピュータシステムが、前記複数の冠動脈内の複数の位置における前記冠血流予備量比を特定するように構成される、請求項１に記載のシステム。
【請求項３】
前記患者固有のデータが画像データを含む、請求項１に記載のシステム。
【請求項４】
前記画像データが、コンピュータ断層撮影または磁気共鳴画像化技術によって提供される、請求項３に記載のシステム。
【請求項５】
前記少なくとも１つのコンピュータシステムが、前記画像データを用いて前記複数の冠動脈の少なくとも前記部分の内腔の境界の位置を特定することによって、前記画像データに基づく前記三次元モデルを作成するように構成される、請求項３に記載のシステム。
【請求項６】
前記少なくとも１つのコンピュータシステムが、前記画像データにおける輝度値の変化に基づいて前記境界の位置を特定するように構成される、請求項５に記載のシステム。
【請求項７】
前記物理学に基づくモデルが、前記三次元モデルの境界を通る血流を表す少なくとも１つの集中パラメータモデルを含む、請求項１に記載のシステム。
【請求項８】
前記少なくとも１つのコンピュータシステムが、充血のレベル、運動のレベル、または薬物のうちの少なくとも１つに関連するパラメータを用いて前記冠血流予備量比を特定するように構成される、請求項１に記載のシステム。
【請求項９】
前記少なくとも１つのコンピュータシステムが、前記充血のレベルに関連するパラメータを用いて前記冠血流予備量比を特定するように構成され、前記パラメータが、前記患者の冠動脈抵抗、前記患者の大動脈血圧、または前記患者の心拍数に関連する、請求項８に記載のシステム。
【請求項１０】
前記少なくとも１つのコンピュータシステムが、前記患者の測定された血圧に少なくとも基づいて、前記物理学に基づくモデルを作成するようにさらに構成される、請求項１に記載のシステム。
【請求項１１】
前記患者固有のデータは画像データを含み、心筋組織の前記質量または前記体積は、前記画像データに基づいて特定される、請求項１０に記載のシステム。
【請求項１２】
少なくとも１つのコンピュータシステムを用いて患者固有の心血管情報を明らかにする方法であって、
前記少なくとも１つのコンピュータシステムに、前記患者の解剖学的構造体の幾何学的形状に関する患者固有のデータを入力することであって、前記解剖学的構造体は、大動脈から発する複数の冠動脈の少なくとも一部分を含む、ことと、
前記少なくとも１つのコンピュータシステムを用いて、前記患者固有のデータに基づく前記解剖学的構造体の第一の部分を表す三次元モデルを作成することであって、前記解剖学的構造体の前記第一の部分は、前記複数の冠動脈の少なくとも前記部分を含む、ことと、
前記少なくとも１つのコンピュータシステムを用いて、心筋組織の質量または体積に少なくとも一部は基づいて、前記解剖学的構造体の前記第一の部分内の血流の特徴に関する物理学に基づくモデルを作成することと、および
前記少なくとも１つのコンピュータシステムを用いて、前記三次元モデルおよび前記物理学に基づくモデルに基づいて、前記解剖学的構造体の前記第一の部分内の冠血流予備量比を特定することと、
を含む、方法。
【請求項１３】
前記決定された冠血流予備量比に基づいて、前記複数の冠動脈のうちの少なくとも一つにおける機能的に重要な狭窄の位置を特定することをさらに含む、請求項１２に記載の方法。
【請求項１４】
前記冠血流予備量比が、前記複数の冠動脈の第一の位置における圧力と前記第一の位置から上流の第二の位置における圧力との比を示し、
前記冠血流予備量比が、前記複数の冠動脈内の複数の位置において特定される、請求項１２に記載の方法。
【請求項１５】
前記患者固有のデータが、画像データを含み、前記三次元モデルを作成することが、前記画像データを用いて前記複数の冠動脈内腔の境界の位置を特定することを含む、請求項１４に記載の方法。
【請求項１６】
前記境界が、前記画像データにおける輝度値の変化に基づいて位置特定される、請求項１５に記載の方法。
【請求項１７】
非一時的なコンピュータ可読媒体であって、患者固有の心血管情報を特定するための方法であって、
前記患者の解剖学的構造体の幾何学的形状に関する患者固有のデータを受信することであって、前記解剖学的構造体は、大動脈から発する複数の冠動脈の少なくとも一部分を含む、ことと、
前記患者固有のデータに基づいて前記解剖学的構造体の第一の部分を表す三次元モデルを作成することであって、前記解剖学的構造体の前記第一の部分は、前記複数の冠動脈の少なくとも前記部分を含む、ことと、
心筋組織の質量または体積に少なくとも一部は基づいて、前記解剖学的構造体の前記第一の部分内の血流の特徴に関する物理学に基づくモデルを作成することと、
前記三次元モデルおよび前記物理学に基づくモデルに基づいて、前記解剖学的構造体の前記第一の部分内の冠血流予備量比を特定することと、
を含む方法を実行するためのコンピュータ実行可能なプログラミング命令を含む、少なくとも１つのコンピュータシステム上で使用するための、非一時的なコンピュータ可読媒体。
【請求項１８】
前記方法が、
前記解剖学的構造体の少なくとも前記第一の部分の三次元シミュレーションを作製することであって、前記三次元シミュレーションは、３つの次元に沿って前記複数の冠動脈の少なくとも前記部分中の複数の位置における前記冠血流予備量比を示すこと
をさらに含む、請求項１７に記載の非一時的コンピュータ可読媒体。
【請求項１９】
前記冠血流予備量比が、色または陰影を用いて前記三次元シミュレーション上に示され、前記冠血流予備量比の変化が色または陰影の変化によって示される、請求項１８に記載の非一時的なコンピュータ可読媒体。
【手続補正２】
【補正対象書類名】明細書
【補正対象項目名】００３６
【補正方法】変更
【補正の内容】
【００３６】
別の実施形態によると、患者固有の心血管情報を明らかにするための方法を実施するためのコンピュータ実行可能なプログラミング命令を含む、少なくとも１つのコンピュータシステム上で使用するための非一時的なコンピュータ可読媒体が提供される。本方法は、患者の脳の幾何学的形状に関する患者固有のデータを受信することと、その患者固有のデータに基づく患者の脳の少なくとも一部を表す三次元モデルを作成することと、この三次元モデルおよび患者の脳に関連する物理学に基づくモデルに基づいて、患者の脳内の血流の特徴に関する情報を明らかにすることとを含む。
本発明は、例えば以下の項目を提供する。
（項目１）
患者の心血管情報を明らかにするためのシステムであって、
前記患者の心臓の幾何学的形状に関する患者固有のデータを受信し、
前記患者固有のデータに基づいて前記患者の心臓の少なくとも一部を表す三次元モデルを作成し、
前記患者の心臓の血流の特徴の特徴に関連する物理学に基づくモデルを作成し、および
前記三次元モデルおよび前記物理学に基づくモデルに基づいて、前記患者の心臓内の冠血流予備量比を特定するように構成された少なくとも１つのコンピュータシステムを備える、システム。
（項目２）
前記患者の心臓の少なくとも前記一部を表す前記三次元モデルが、大動脈の少なくとも一部と、前記大動脈の一部から発する複数の冠動脈の少なくとも一部とを含む、項目１に記載のシステム。
（項目３）
前記冠血流予備量比が、前記大動脈内の圧力と前記複数の冠動脈内のある位置における圧力との比を示し、および
前記少なくとも１つのコンピュータシステムが、前記複数の冠動脈内の複数の位置における前記冠血流予備量比を特定するように構成される、項目２に記載のシステム。
（項目４）
前記患者固有のデータが画像データを含む、項目１に記載のシステム。
（項目５）
前記画像データが、コンピュータ断層撮影または磁気共鳴画像化技術によって提供される、項目４に記載のシステム。
（項目６）
前記少なくとも１つのコンピュータシステムが、前記画像データを用いて前記患者の心臓の冠動脈内腔の境界の位置を特定することによって、前記画像データに基づく前記三次元モデルを作成するように構成される、項目４に記載のシステム。
（項目７）
前記少なくとも１つのコンピュータシステムが、前記画像データにおける輝度値の変化に基づいて前記境界の位置を特定するように構成される、項目６に記載のシステム。
（項目８）
前記物理学に基づくモデルが、前記三次元モデルの境界を通る血流を表す少なくとも１つの集中パラメータモデルを含む、項目１に記載のシステム。
（項目９）
前記少なくとも１つのコンピュータシステムが、充血のレベル、運動のレベル、または薬物のうちの少なくとも１つに関連するパラメータを用いて前記冠血流予備量比を特定するように構成される、項目１に記載のシステム。
（項目１０）
前記少なくとも１つのコンピュータシステムが、前記充血のレベルに関連するパラメータを用いて前記冠血流予備量比を特定するように構成され、前記パラメータが、前記患者の冠動脈抵抗、前記患者の大動脈血圧、または前記患者の心拍数に関連する、項目９に記載のシステム。
（項目１１）
少なくとも１つのコンピュータシステムを用いて患者固有の心血管情報を明らかにする方法であって、
前記少なくとも１つのコンピュータシステムに、前記患者の心臓の幾何学的形状に関する患者固有のデータを入力することと、
前記少なくとも１つのコンピュータシステムを用いて、前記患者固有のデータに基づく前記患者の心臓の少なくとも一部を表す三次元モデルを作成することと、
前記少なくとも１つのコンピュータシステムを用いて、前記患者の心臓の血流の特徴に関連する物理学に基づくモデルを作成することと、および
前記少なくとも１つのコンピュータシステムを用いて、前記三次元モデルおよび前記物理学に基づくモデルに基づいて前記患者の心臓内の冠血流予備量比を特定することと、を含む、方法。
（項目１２）
前記決定された冠血流予備量比に基づいて、前記患者の心臓の冠動脈における機能的に重要な狭窄の位置を特定することをさらに含む、項目１１に記載の方法。
（項目１３）
前記患者の心臓の少なくとも一部を表す前記三次元モデルが、大動脈の少なくとも一部と、前記大動脈の一部から発する複数の冠動脈の少なくとも一部とを含む、項目１１に記載の方法。
（項目１４）
前記冠血流予備量比が、前記大動脈内の圧力と前記複数の冠動脈内のある位置における圧力との比を示し、
前記冠血流予備量比が、前記複数の冠動脈内の複数の位置において特定される、項目１３に記載の方法。
（項目１５）
前記患者固有のデータが、前記患者の心臓の画像データを含み、前記三次元モデルを作成することが、前記画像データを用いて前記患者の心臓の前記複数の冠動脈内腔の境界の位置を特定することを含む、項目１４に記載の方法。
（項目１６）
前記境界が、前記画像データにおける輝度値の変化に基づいて位置特定される、項目１５に記載の方法。
（項目１７）
非一時的なコンピュータ可読媒体であって、患者固有の心血管情報を特定するための方法であって、
前記患者の心臓の幾何学的形状に関する患者固有のデータを受信することと、
前記患者固有のデータに基づく前記患者の心臓の少なくとも一部を表す三次元モデルを作成することと、
前記患者の心臓の血流の特徴に関連する物理学に基づくモデルを作成することと、
前記三次元モデルおよび前記物理学に基づくモデルに基づいて、前記患者の心臓内の冠血流予備量比を特定することと、を含む方法を実行するためのコンピュータ実行可能なプログラミング命令を含む、少なくとも１つのコンピュータシステム上で使用するための、非一時的なコンピュータ可読媒体。
（項目１８）
前記方法が、
３つの次元に沿って前記心臓の冠動脈中の複数の位置における前記冠血流予備量比を示す前記患者の心臓の三次元シミュレーションを作製することをさらに含む、項目１７に記載の非一時的コンピュータ可読媒体。
（項目１９）
前記冠血流予備量比が、色または陰影を用いて前記三次元シミュレーション上に示され、前記冠血流予備量比の変化が色または陰影の変化によって示される、項目１８に記載の非一時的なコンピュータ可読媒体。
（項目２０）
前記患者の心臓の少なくとも一部を表す前記三次元モデルが、大動脈の少なくとも一部と、前記大動脈の一部から発する複数の冠動脈の少なくとも一部とを含み、
前記三次元シミュレーションが、前記冠動脈中の複数の位置における前記冠血流予備量比を含む、項目１９に記載の非一時的なコンピュータ可読媒体。
（項目２１）
患者の治療を計画するためのシステムであって、
前記患者の解剖学的構造体の幾何学的形状に関する患者固有のデータを受信し、
前記患者固有のデータに基づく前記患者の前記解剖学的構造体の少なくとも一部を表す三次元モデルを作成し、
前記三次元モデルおよび前記患者の前記解剖学的構造体に関連する物理学に基づくモデルに基づいて、前記患者の前記解剖学的構造体内の血流の特徴に関する第１の情報を明らかにし、
前記三次元モデルを修正し、
前記修正された三次元モデルに基づいて、前記患者の前記解剖学的構造体内の前記血流の特徴に関する第２の情報を明らかにするように構成された少なくとも１つのコンピュータシステムを含む、システム。
（項目２２）
前記少なくとも１つのコンピュータシステムが、ユーザから受信した入力であって、前記患者の治療計画の選択を含む入力に基づいて、前記三次元モデルを修正するようにさらに構成される、項目２１に記載のシステム。
（項目２３）
前記選択された治療計画が、前記患者の前記解剖学的構造体の前記幾何学的形状の変化に関連し、
前記少なくとも１つのコンピュータシステムが、前記選択された治療計画に基づいて、前記三次元モデルを修正するようにさらに構成される、項目２２に記載のシステム。
（項目２４）
前記受信される入力が、前記解剖学的構造体の前記幾何学的形状を変化させるための前記患者の前記解剖学的構造体における位置を含み、前記位置は前記ユーザによって選択され、
前記少なくとも１つのコンピュータシステムが、前記選択された治療計画および前記選択された位置に基づいて、前記三次元モデルを修正するようにさらに構成される、項目２３に記載のシステム。
（項目２５）
前記選択された治療計画が、前記患者の前記選択された位置にステントを挿入する計画を含み、
前記少なくとも１つのコンピュータシステムが、前記三次元モデルによって表される内腔を拡大することによって前記三次元モデルを修正するようにさらに構成される、項目２４に記載のシステム。
（項目２６）
前記選択された治療計画が、前記患者の前記選択された位置にバイパスを追加する計画を含み、および
前記少なくとも１つのコンピュータシステムが、前記三次元モデルにおいて内腔に向かって第１のバイパスを追加することによって前記三次元モデルを修正するようにさらに構成される、項目２４に記載のシステム。
（項目２７）
前記少なくとも１つのコンピュータシステムが、
前記患者の前記解剖学的構造体内の複数の位置において前記第１の情報と前記第２の情報との差を明らかにするようにさらに構成される、項目２１に記載のシステム。
（項目２８）
前記第１の情報および前記第２の情報がそれぞれ、前記患者の前記解剖学的構造体内の血圧、血液速度、血流量、または冠血流予備量比うちの少なくとも１つを含む、項目２１に記載のシステム。
（項目２９）
前記患者の前記解剖学的構造体が、前記患者の心臓、頸部、頭部、胸部、腹部、腕、または脚の複数の動脈の一部のうちの少なくとも１つを含む、項目２１に記載のシステム。
（項目３０）
非一時的なコンピュータ可読媒体であって、患者の治療を計画するための方法であって、前記患者の解剖学的構造体の幾何学的形状に関する患者固有のデータを受信することと、前記患者固有のデータに基づく前記患者の解剖学的構造体の少なくとも一部を表す三次元モデルを作成することと、
前記三次元モデルおよび前記患者の前記解剖学的構造体に関連する物理学に基づくモデルに基づいて、前記患者の前記解剖学的構造体内の血流の特徴に関する第１の情報を明らかに明らかにすることと、
前記患者の前記解剖学的構造体の幾何学的形状の所望の変化に基づいて、前記患者の前記解剖学的構造体内の前記血流の特徴に関する第２の情報を明らかにすることと、を含む方法を実行するためのコンピュータ実行可能なプログラミング命令を含む、コンピュータシステム上で使用するための、非一時的なコンピュータ可読媒体。
（項目３１）
前記方法が、
治療計画を選択するユーザから受信する入力に基づいて、前記三次元モデルを修正することと、
前記修正に基づいて、前記第２の情報を明らかにすることをさらに含む、項目３０に記載の非一時的なコンピュータ可読媒体。
（項目３２）
前記選択された治療計画が、前記患者の前記解剖学的構造体の前記幾何学的形状の変化と関連し、
前記少なくとも１つのコンピュータシステムが、前記選択された治療計画に基づいて前記三次元モデルを修正するようにさらに構成される、項目３１に記載の非一時的なコンピュータ可読媒体。
（項目３３）
前記受信された入力が、前記解剖学的構造体の前記幾何学的形状を変化させるための前記患者の前記解剖学的構造体における位置を含み、
前記少なくとも１つのコンピュータシステムが、前記選択された治療計画および前記選択された位置に基づいて前記三次元モデルを修正するようにさらに構成される、項目３２に記載の非一時的コンピュータ可読媒体。
（項目３４）
前記方法が、
前記患者の前記解剖学的構造体内の複数の位置における前記第１の情報と前記第２の情報との差を明らかにすることをさらに含む、項目３０に記載の非一時的なコンピュータ可読媒体。
（項目３５）
前記第１の情報および前記第２の情報がそれぞれ、前記患者の前記解剖学的構造体内の血圧、血液速度、血流量、または冠血流予備量比を含む、項目３０に記載の非一時的なコンピュータ可読媒体。
（項目３６）
前記患者の前記解剖学的構造体が、前記患者の心臓、頸部、頭部、胸部、腹部、腕、または脚の複数の動脈の一部のうちの少なくとも１つを含む、項目３０に記載の非一時的なコンピュータ可読媒体。
（項目３７）
コンピュータシステムを用いて患者の治療を計画するための方法であって、
少なくとも１つのコンピュータシステムに、前記患者の解剖学的構造体の幾何学的形状に関する患者固有のデータを入力することと、
前記少なくとも１つのコンピュータシステムを用いて、前記患者固有のデータに基づく前記患者の前記解剖学的構造体の少なくとも一部を表す三次元モデルを作成することと、
前記少なくとも１つのコンピュータシステムを用いて、前記三次元モデルおよび前記患者の前記解剖学的構造体に関連する物理学に基づくモデルに基づいて、前記患者の前記解剖学的構造体内の血流の特徴に関する第１の情報を明らかにすることと、
前記少なくとも１つのコンピュータシステムを用いて、前記三次元モデルを修正することと、および
前記少なくとも１つのコンピュータシステムを用いて、前記修正三次元モデルに基づいて前記患者の前記解剖学的構造体内の前記血流の特徴に関する第２の情報を明らかにすることと、を含む、方法。
（項目３８）
前記少なくとも１つのコンピュータシステムを用いて、前記第１の情報を含む三次元シミュレーションを作成することと、
前記少なくとも１つのコンピュータシステムを用いて、前記三次元シミュレーションに基づく次数低減モデルを作成することをさらに含み、
前記第２の情報が前記次数低減モデルを用いて明らかにされる、項目３７に記載の方法。
（項目３９）
前記次数低減モデルが集中パラメータモデルである、項目３８に記載の方法。
（項目４０）
前記三次元モデルが、ユーザから受信する第１の入力であって、前記ユーザによって選択された第１の治療計画を示す第１の入力に基づいて修正される、項目３７に記載の方法であって、
前記少なくとも１つのコンピュータシステムを用いて、前記第１の入力とは別に、前記ユーザから受信する第２の入力であって、前記ユーザによって選択された第２の治療計画を示す第２の入力に基づいて前記三次元モデルを修正することと、および
前記少なくとも１つのコンピュータシステムを用いて、前記第２の入力に基づいて修正された前記三次元モデルに基づいて、前記患者の前記解剖学的構造体内の前記血流の特徴に関する第３の情報を明らかにすることと、および
前記第２の情報を前記第３の情報と比較することによって、前記第１および第２の治療計画を比較することと、をさらに含む、方法。
（項目４１）
患者の治療を計画するためのシステムであって、
前記患者の解剖学的構造体の幾何学的形状に関する患者固有のデータを受信し、
前記患者固有のデータに基づく前記患者の前記解剖学的構造体の少なくとも一部を表す三次元モデルを作成し、
前記三次元モデルおよび前記患者の生理学的状態に関する情報に基づいて、前記患者の前記解剖学的構造体内の血流の特徴に関する第１の情報を明らかにし、
前記患者の前記生理学的状態を修正し、
前記患者の前記修正された生理学的状態に基づいて、前記患者の前記解剖学的構造体内の前記血流の特徴に関する第２の情報を明らかにするように構成された少なくとも１つのコンピュータシステムを備える、システム。
（項目４２）
前記少なくとも１つのコンピュータシステムが、ユーザから受信する入力であって、前記患者のための治療計画の選択を含む入力に基づいて、前記患者の前記生理学的状態を修正するようにさらに構成される、項目４１に記載のシステム。
（項目４３）
前記選択された治療計画が、前記患者の心拍出量、運動のレベル、充血のレベル、または薬物療法のうちの少なくとも１つの変化に関連し、
前記少なくとも１つのコンピュータシステムが、前記選択された治療計画に基づいて前記患者の前記生理学的状態を修正するようにさらに構成される、項目４２に記載のシステム。
（項目４４）
前記少なくとも１つのコンピュータシステムが、前記患者の前記解剖学的構造体を通る血流に関連するパラメータを変化させることによって、前記患者の前記生理学的状態を修正するようにさらに構成される、項目４３に記載のシステム。
（項目４５）
前記変化させた血流に関するパラメータが、冠動脈抵抗、大動脈血圧、または心拍数のうちの少なくとも１つを含む、項目４４に記載のシステム。
（項目４６）
前記少なくとも１つのコンピュータシステムが、
前記患者の前記解剖学的構造体内の複数の位置における前記第１の情報と前記第２の情報との差を明らかにするようにさらに構成される、項目４１に記載のシステム。
（項目４７）
前記第１の情報および前記第２の情報がそれぞれ、前記患者の前記解剖学的構造体内の血圧、血液速度、血流量、または冠血流予備量比のうちの少なくとも１つを含む、項目４１に記載のシステム。
（項目４８）
前記患者の前記解剖学的構造体が、前記患者の心臓、頸部、頭部、胸部、腹部、腕、または脚の複数の動脈の一部のうちの少なくとも１つを含む、項目４１に記載のシステム。
（項目４９）
非一時的なコンピュータ可読媒体であって、患者の治療を計画するための方法であって、前記患者の解剖学的構造体の幾何学的形状に関する患者固有のデータを受信することと、前記患者固有のデータに基づく前記患者の解剖学的構造体の少なくとも一部を表す三次元モデルを作成することと、
前記三次元モデルおよび前記患者の生理学的状態に関する情報に基づいて、前記患者の前記解剖学的構造体内の血流の特徴に関する第１の情報を明らかにすることと、および
前記患者の前記生理学的状態の変化に基づいて、前記患者の前記解剖学的構造体内の前記血流の特徴に関する第２の情報を明らかにすることと、を含む、方法を実行するためのコンピュータ実行可能なプログラミング命令を含むコンピュータシステム上で使用するための、非一時的なコンピュータ可読媒体。
（項目５０）
前記第２の情報が、前記患者の心拍出量、心拍数、一回拍出量、血圧、労作または運動のレベル、充血のレベル、または薬物療法のうちの少なくとも１つの変化に関連する選択された治療計画に基づいて明らかにされる、項目４９に記載の非一時的なコンピュータ可読媒体。
（項目５１）
前記方法が、前記患者の前記解剖学的構造体を通る血流に関連するパラメータを変化させることによって、前記患者の前記生理学的状態を修正することをさらに含む、項目５０に記載の非一時的なコンピュータ可読媒体。
（項目５２）
前記変化させた血流に関するパラメータが、冠動脈抵抗、大動脈血圧、または心拍数のうちの少なくとも１つを含む、項目５１に記載の非一時的なコンピュータ可読媒体。
（項目５３）
前記方法が、
前記患者の前記解剖学的構造体内の複数の位置において前記第１の情報と前記第２の情報との差を明らかにすることをさらに含む、項目４９に記載の非一時的なコンピュータ可読媒体。
（項目５４）
前記第１の情報および前記第２の情報がそれぞれ、前記患者の前記解剖学的構造体内の血圧、血液速度、血流量、または冠血流予備量比のうちの少なくとも１つを含む、項目４９に記載の非一時的なコンピュータ可読媒体。
（項目５５）
前記患者の前記解剖学的構造体が、前記患者の心臓、頸部、頭部、胸部、腹部、腕、または脚の複数の動脈の一部のうちの少なくとも１つを含む、項目４９に記載の非一時的なコンピュータ可読媒体。
（項目５６）
少なくとも１つのコンピュータシステムを用いて患者の治療を計画するための方法であって、
少なくとも１つのコンピュータシステムに、前記患者の解剖学的構造体の幾何学的形状に関する患者固有のデータを入力することと、
前記少なくとも１つのコンピュータシステムを用いて、前記患者固有のデータに基づく前記患者の前記解剖学的構造体の少なくとも一部を表す三次元モデルを作成することと、
前記少なくとも１つのコンピュータシステムを用いて、前記三次元モデルおよび前記患者の生理学的状態に関する情報に基づいて、前記患者の前記解剖学的構造体内の血流の特徴に関する第１の情報を明らかにすることと、
前記少なくとも１つのコンピュータシステムを用いて、前記患者の前記生理学的状態を修正することと、および
前記少なくとも１つのコンピュータシステムを用いて、前記患者の前記修正された生理学的状態に基づいて、前記患者の前記解剖学的構造体内の前記血流の特徴に関する第２の情報を明らかにすることと、を含む、方法。
（項目５７）
前記患者の前記生理学的状態を修正することが、前記患者の前記解剖学的構造体を通る血流に関するパラメータを変更することを含み、
前記変更されたパラメータが、冠動脈抵抗、大動脈血圧、または心拍数のうちの少なくとも１つを含む、項目５６に記載の方法。
（項目５８）
前記少なくとも１つのコンピュータシステムを用いて、前記第１の情報を含む三次元シミュレーションを作成することと、および
前記少なくとも１つのコンピュータシステムを用いて、前記三次元シミュレーションに基づく次数低減モデルを作成することをさらに含み、
前記第２の情報が前記次数低減モデルを用いて明らかにされる、項目５６に記載の方法。
（項目５９）
前記次数低減モデルが集中パラメータモデルである、項目５８に記載の方法。
（項目６０）
前記患者の前記生理学的状態を修正することが、前記ユーザから受信した第１の入力のであって、前記ユーザによって選択された第１の治療計画を示す第１の入力に基づく項目５６に記載の方法であって、
前記少なくとも１つのコンピュータシステムを用いて、前記第１の入力とは別に、前記ユーザから受信する第２の入力であって、前記ユーザによって選択された第２の治療計画を示す第２の入力に基づいて前記患者の前記生理学的状態を修正することと、
前記少なくとも１つのコンピュータシステムを用いて、前記第２の入力に基づいて修正された前記生理学的状態に基づいて、前記患者の前記解剖学的構造体内の前記血流の特徴に関する第３の情報を明らかにすることと、および
前記第２の情報と前記第３の情報とを比較することによって、前記第１および第２の治療計画を比較することと、をさらに含む、方法。
（項目６１）
患者固有の心血管情報を明らかに明らかにするためのシステムであって、
前記患者の解剖学的構造体の幾何学的形状に関する患者固有のデータを受信し、
前記患者固有のデータに基づく前記患者の前記解剖学的構造体の少なくとも一部を表す三次元モデルを作成し、
前記患者の前記解剖学的構造体の前記一部を通る全流量に関連する全抵抗を特定し、
前記三次元モデル、前記患者の前記解剖学的構造体に関連する物理学に基づくモデル、および前記特定された全抵抗に基づいて、前記患者の前記解剖学的構造体内の血流の特徴に関する情報を明らかにするように構成された少なくとも１つのコンピュータシステムを備える、システム。
（項目６２）
前記患者の前記解剖学的構造体が、大動脈の少なくとも一部と、前記大動脈の一部から発する複数の冠動脈の少なくとも一部とを含み、および
前記全抵抗が前記複数の冠動脈を通る全流出量に関連する、項目６１に記載のシステム。
（項目６３）
前記少なくとも１つのコンピュータシステムが、
前記決定された全抵抗に基づいて前記複数の冠動脈それぞれの個々の抵抗を特定し、および
前記個々の抵抗を前記物理学に基づくモデルに組込むことによって、前記特定された個々の抵抗に基づいて前記血流の特徴に関する前記情報を明らかにするようにさらに構成される、項目６２に記載のシステム。
（項目６４）
前記少なくとも１つのコンピュータシステムが、
前記患者の測定された血圧を受信し、
前記測定された血圧に基づいて前記全抵抗を特定するようにさらに構成される、項目６３に記載のシステム。
（項目６５）
前記少なくとも１つのコンピュータシステムが、前記解剖学的構造体の少なくとも一部の特定された質量または体積に基づいて、前記解剖学的構造体の前記一部を通る前記全流量を特定するようにさらに構成される、項目６１に記載のシステム。
（項目６６）
前記少なくとも１つのコンピュータシステムが、前記患者固有のデータを用いて、前記解剖学的構造体の少なくとも一部の前記質量または体積を特定するようにさらに構成される、項目６５に記載のシステム。
（項目６７）
前記患者固有のデータが画像データを含み、前記少なくとも１つのコンピュータシステムが、前記画像データを用いて、前記解剖学的構造体の少なくとも一部の前記質量または体積を特定するようにさらに構成される、項目６６に記載のシステム。
（項目６８）
前記情報が、前記患者の解剖学的構造体内の血圧、血液速度、または血流量を含む、項目６１に記載のシステム。
（項目６９）
前記患者の前記解剖学的構造体が、前記患者の心臓、頸部、頭部、胸部、腹部、腕、または脚の複数の動脈の一部のうちの少なくとも１つを含む、項目６１に記載のシステム。
（項目７０）
少なくとも１つのコンピュータシステムを用いて患者固有の心血管情報を明らかにするための方法であって、
前記少なくとも１つのコンピュータシステムに、前記患者の解剖学的構造体の幾何学的形状に関する患者固有のデータを入力することと、
少なくとも１つのコンピュータシステムを用いて、前記患者固有のデータに基づく前記患者の前記解剖学的構造体の少なくとも一部を表す三次元モデルを作成することと、
少なくとも１つのコンピュータを用いて、前記患者の前記解剖学的構造体の前記一部を通る全流量に関連する全抵抗を特定することと、および
少なくとも１つのコンピュータを用いて、前記三次元モデル、前記患者の前記解剖学的構造体に関連する物理学に基づくモデル、および前記決定された全抵抗に基づいて、前記患者の前記解剖学的構造体内の血流の特徴に関する情報を明らかにすることと、を含む、方法。
（項目７１）
前記少なくとも１つのコンピュータシステムを用いて、前記患者固有のデータを使用して、前記患者の前記解剖学的構造体の少なくとも一部の質量または体積を特定することと、および
前記少なくとも１つのコンピュータシステムを用いて、前記特定された質量または体積に基づく前記全流量を特定することをさらに含む、項目７０に記載の方法。
（項目７２）
前記患者の前記解剖学的構造体が、前記患者の心筋または脳である、項目７１に記載の方法。
（項目７３）
前記患者の血圧を測定することをさらに含み、前記全抵抗が前記測定された血圧に基づいて特定される、項目７１に記載の方法。
（項目７４）
前記患者の前記解剖学的構造体が、複数の連結する動脈の少なくとも一部を含む項目７３に記載の方法であって、
前記少なくとも１つのコンピュータシステムを用いて、前記特定された全抵抗に基づいて、前記複数の動脈それぞれの個々の抵抗を特定することをさらに含む、方法。
（項目７５）
前記情報が、前記患者の解剖学的構造体内の血圧、血液速度、または血流量を含む、項目７０に記載の方法。
（項目７６）
前記患者の前記解剖学的構造体が、前記患者の心臓、頸部、頭部、胸部、腹部、腕、または脚の複数の動脈の一部のうちの少なくとも１つを含む、項目７０に記載の方法。
（項目７７）
非一時的なコンピュータ可読媒体であって、患者固有の心血管情報を明らかにするための方法であって、
前記患者の解剖学的構造体の幾何学的形状に関する患者固有のデータを受信することと、前記患者固有のデータに基づく前記患者の解剖学的構造体の少なくとも一部を表す三次元モデルを作成することと、
前記患者の前記解剖学的構造体の前記一部を通る全流量に関連する全抵抗を特定することと、および
前記三次元モデル、前記患者の前記解剖学的構造体に関連する物理学に基づくモデル、および前記特定された全抵抗に基づいて、前記患者の前記解剖学的構造体内の血流の特徴に関する情報を明らかにすることを含む方法を実施するためのコンピュータ実行可能なプログラミング命令を含む、コンピュータシステム上で使用するための、非一時的なコンピュータ可読媒体。
（項目７８）
前記患者の前記解剖学的構造体が、大動脈の少なくとも一部と、前記大動脈の前記一部から発する複数の冠動脈の少なくとも一部とを含み、
前記全抵抗が、前記複数の冠動脈を通る全流出量に関連する、項目７７に記載の非一時的なコンピュータ可読媒体。
（項目７９）
前記方法が、
前記解剖学的構造体の少なくとも一部の特定された質量または体積に基づいて、前記解剖学的構造体の一部を通る前記全流量を特定することをさらに含む、項目７７に記載の非一時的なコンピュータ可読媒体。
（項目８０）
前記患者固有のデータが画像データを含み、前記方法が、
前記画像データを用いて、前記解剖学的構造体の少なくとも一部の前記質量または体積を特定することをさらに含む、項目７９に記載の非一時的なコンピュータ可読媒体。
（項目８１）
ウェブサイトを用いて患者固有の心血管情報を提供するためのシステムであって、
遠隔ユーザがウェブサイトにアクセスすることを可能にし、
前記患者の解剖学的構造体の幾何学的形状の少なくとも一部に関する患者固有のデータを受信し、
前記患者固有のデータに基づく前記患者の前記解剖学的構造体の少なくとも一部を表す三次元モデルを作成し、
前記三次元モデルおよび前記患者の生理学的状態に基づいて、前記患者の前記解剖学的構造体内の血流の特徴に関する情報を明らかにし、
前記患者の前記解剖学的構造体の少なくとも前記一部の第１の三次元シミュレーションであって、前記血流の特徴に関する前記明らかにされた情報を含む三次元シミュレーションに関する表示情報を前記ウェブサイトを用いて前記遠隔ユーザに伝達するように構成された少なくとも１つのコンピュータシステムを備える、システム。
（項目８２）
前記少なくとも１つのコンピュータシステムが、
前記ウェブサイトを介して、前記患者の治療計画を選択する前記遠隔ユーザからの入力を受信するようにさらに構成される、項目８１に記載のシステム。
（項目８３）
前記少なくとも１つのコンピュータシステムが、
前記受信された入力に基づいて、前記三次元モデルまたは前記患者の前記生理学的状態のうちの少なくとも１つを修正し、
前記受信された入力に基づいて、前記患者の前記解剖学的構造体内の前記血流の特徴に関する第２の情報を明らかにするようにさらに構成される、項目８２に記載のシステム。
（項目８４）
前記少なくとも１つのコンピュータシステムが、
前記患者の前記解剖学的構造体の少なくとも前記一部の第２の三次元シミュレーションであって、前記血流の特徴に関する前記明らかにされた第２の情報を含む第２の三次元シミュレーションに関する表示情報を前記ウェブサイトを用いて前記遠隔ユーザに伝達するようにさらに構成される、項目８３に記載のシステム。
（項目８５）
前記患者の前記解剖学的構造体内の前記血流の特徴に関する前記情報が、前記患者の前記解剖学的構造体に関連する保存された物理学に基づくモデルに基づいてさらに明らかにされる、項目８１に記載のシステム。
（項目８６）
前記患者の前記解剖学的構造体が、心臓、頸部、頭部、胸部、腹部、腕、または脚の複数の動脈の一部のうちの少なくとも１つを含む、項目８１に記載のシステム。
（項目８７）
前記情報が、前記患者の解剖学的構造体内の血圧、血液速度、または血流量を含む、項目８１に記載のシステム。
（項目８８）
前記少なくとも１つのコンピュータシステムが、
複数の患者に関する患者固有のデータを受信し、および
前記複数の患者の前記血流の特徴に関する前記情報を明らかにするようにさらに構成される、項目８１に記載のシステム。
（項目８９）
前記少なくとも１つのコンピュータシステムが、複数の遠隔ユーザが前記ウェブサイトに安全にアクセスすることを可能にするように構成される、項目８１に記載のシステム。
（項目９０）
前記少なくとも１つのコンピュータシステムが、前記三次元モデルに関する表示情報を前記ウェブサイトを用いて前記遠隔ユーザに伝達するように構成される、項目８１に記載のシステム。
（項目９１）
ウェブサイトを用いて患者固有の心血管情報を提供するための方法であって、
少なくとも１つのコンピュータシステムを用いて、遠隔ユーザがウェブサイトにアクセスすることを可能にすることと、
前記少なくとも１つのコンピュータシステムを用いて、前記患者の解剖学的構造体の幾何学的形状に関する患者固有のデータを受信することと、
前記少なくとも１つのコンピュータシステムを用いて、前記患者固有のデータに基づく前記患者の前記解剖学的構造体の少なくとも一部を表す三次元モデルを作成することと、
前記少なくとも１つのコンピュータシステムを用いて、前記三次元モデルおよび前記患者の生理学的状態に基づいて、前記患者の前記解剖学的構造体内の血流の特徴に関する情報を明らかにすることと、および
前記少なくとも１つのコンピュータシステムを用いて、前記患者の前記解剖学的構造体の少なくとも前記一部の第１の三次元シミュレーションであって、前記血流の特徴に関する前記明らかにされた情報を含む三次元シミュレーションに関する表示情報を前記ウェブサイトを用いて前記遠隔ユーザに伝達することと、を含む、方法。
（項目９２）
前記少なくとも１つのコンピュータシステムを用いて、前記ウェブサイトを使用して、前記患者の治療計画を選択する前記遠隔ユーザからの入力を受信することをさらに含む、項目９１に記載の方法。
（項目９３）
前記少なくとも１つのコンピュータシステムを用いて、前記受信された入力に基づいて、前記三次元モデルまたは前記患者の前記生理学的状態のうちの少なくとも１つを修正することと、および
前記少なくとも１つのコンピュータシステムを用いて、前記受信された入力に基づいて、前記患者の前記解剖学的構造体の少なくとも前記一部の前記血流の特徴に関する第２の情報を明らかにすることをさらに含む、項目９２に記載の方法。
（項目９４）
前記少なくとも１つのコンピュータシステムを用いて、前記患者の前記解剖学的構造体の第２の三次元シミュレーションであって、前記血流の特徴に関する前記明らかにされた第２の情報を含む第２の三次元シミュレーションに関する表示情報を前記ウェブサイトを用いて前記遠隔ユーザに伝達することをさらに含む、項目９３に記載の方法。
（項目９５）
非一時的なコンピュータ可読媒体であって、患者固有の心血管情報をウェブサイトを用いて提供するための方法であって、
遠隔ユーザがウェブサイトにアクセスすることを可能にすることと、
前記患者の解剖学的構造体の幾何学的形状に関する患者固有のデータを受信することと、前記患者固有のデータに基づく前記患者の解剖学的構造体の少なくとも一部を表す三次元モデルを作成することと、
前記三次元モデルおよび前記患者の前記解剖学的構造体に関連する物理学に基づくモデルに基づいて、前記患者の前記解剖学的構造体内の血流の特徴に関する第１の情報を明らかにすることと、および
前記患者の前記解剖学的構造体の少なくとも前記一部の第１の三次元シミュレーションであって、前記血流の特徴に関する前記明らかにされた情報を含む三次元シミュレーションに関する表示情報を前記ウェブサイトを用いて前記遠隔ユーザに伝達することと、を含む方法を実施するためのコンピュータ実行可能なプログラミング命令を含む、コンピュータシステム上で使用するための、非一時的なコンピュータ可読媒体。
（項目９６）
前記方法が、
前記ウェブサイトを用いて、前記患者の治療計画を選択する前記遠隔ユーザからの入力を受信することをさらに含む、項目９５に記載の非一時的なコンピュータ可読媒体。
（項目９７）
前記患者の前記解剖学的構造体の少なくとも前記一部の前記血流の特徴に関する前記情報が、前記患者の前記解剖学的構造体に関連する保存された物理学に基づくモデルに基づいてさらに明らかにされる、項目９５に記載の非一時的なコンピュータ可読媒体。
（項目９８）
前記患者の前記解剖学的構造体が、前記患者の心臓、頸部、頭部、胸部、腹部、腕、または脚の複数の動脈の一部のうちの少なくとも１つを含む、項目９５に記載の非一時的なコンピュータ可読媒体。
（項目９９）
前記方法が、
複数の患者に関する患者固有のデータを受信することと、および
前記複数の患者の前記血流の特徴に関する前記情報を明らかにすることをさらに含む、項目９５に記載の非一時的なコンピュータ可読媒体。
（項目１００）
前記少なくとも１つのコンピュータシステムが、複数の遠隔ユーザが前記ウェブサイトに安全にアクセスすることを可能にするように構成される、項目９５に記載の非一時的なコンピュータ可読媒体。
（項目１０１）
患者固有の時変心血管情報を明らかにするためのシステムであって、
異なる時点の前記患者の解剖学的構造体の少なくとも一部の幾何学的形状に関する時変患者固有のデータを受信し、
前記患者固有のデータに基づく前記患者の前記解剖学的構造体の少なくとも一部を表す三次元モデルを作成し、および
前記三次元モデルおよび前記患者の前記解剖学的構造に関連する物理学に基づくモデルに基づいて、前記患者の前記解剖学的構造体内の経時的な血流の特徴の変化に関する情報を明らかにするように構成される少なくとも１つのコンピュータシステムを備える、システム。
（項目１０２）
前記時変患者固有のデータが、異なる時点の前記患者の前記解剖学的構造体の前記幾何学的形状に関するものである、項目１０１に記載のシステム。
（項目１０３）
前記患者固有のデータが、心周期にわたる異なる時点の画像データを含む、項目１０１に記載のシステム。
（項目１０４）
前記患者の前記解剖学的構造体が、前記患者の複数の連結する動脈の少なくとも一部を含み、
前記患者固有のデータが、前記複数の動脈血管形状の変化に関する情報を含む、項目１０１に記載のシステム。
（項目１０５）
前記複数の動脈が、前記患者の心臓、頸部、頭部、胸部、腹部、腕、または脚に位置する、項目１０４に記載のシステム。
（項目１０６）
前記血流の特徴が、血圧、血液速度、または血流量のうちの少なくとも１つを含む、項目１０１に記載のシステム。
（項目１０７）
前記少なくとも１つのコンピュータシステムが、
前記患者の前記解剖学的構造体内の３つの次元に沿った複数の位置における経時的な前記血流の特徴の変化に関する情報を明らかにするようにさらに構成される、項目１０１に記載のシステム。
（項目１０８）
少なくとも１つのコンピュータシステムを用いて患者固有の時変心血管情報を明らかにするための方法であって、
少なくとも１つのコンピュータシステムを用いて、異なる時点の前記患者の解剖学的構造体の幾何学的形状に関する時変患者固有のデータを受信することと、
前記少なくとも１つのコンピュータシステムを用いて、前記患者固有のデータに基づく前記患者の前記解剖学的構造体の少なくとも一部を表す三次元モデルを作成することと、および
前記少なくとも１つのコンピュータシステムを用いて、前記三次元モデルおよび前記患者の前記解剖学的構造体に関連する物理学に基づくモデルに関する前記情報に基づいて、前記患者の前記解剖学的構造体内の経時的な血流の特徴の変化に関する情報を明らかにすることと、を含む、方法。
（項目１０９）
前記少なくとも１つのコンピュータシステムを用いて前記物理学に基づくモデルを保存することをさらに含む、項目１０８に記載の方法。
（項目１１０）
前記患者の前記解剖学的構造体が、前記患者の心臓、頸部、頭部、胸部、腹部、腕、または脚の複数の動脈の一部のうちの少なくとも１つを含む、項目１０８に記載の方法。
（項目１１１）
前記時変患者固有のデータが、異なる時点の前記患者の前記解剖学的構造体の前記幾何学的形状に関連する、項目１０８に記載の方法。
（項目１１２）
前記患者固有のデータが、心周期にわたる異なる時点の画像データを含む、項目１０８に記載の方法。
（項目１１３）
前記患者の前記解剖学的構造体が、前記患者の複数の連結する動脈の少なくとも一部を含み、および
前記患者固有のデータが、前記複数の動脈の血管形状の変化に関する情報を含む、項目１０８に記載の方法。
（項目１１４）
前記複数の動脈が、前記患者の心臓、頸部、頭部、胸部、腹部、腕、または脚に位置する、項目１１３に記載の方法。
（項目１１５）
非一時的なコンピュータ可読媒体であって、患者固有の時変心血管情報を明らかにするための方法であって、
異なる時点の前記患者の解剖学的構造体の幾何学的形状に関する時変患者固有のデータを受信することと、
前記患者固有のデータに基づく前記患者の前記解剖学的構造体の少なくとも一部を表す三次元モデルを作成することと、
前記三次元モデルおよび前記患者の前記解剖学的構造に関連する物理学に基づくモデルに関する情報に基づいて、前記患者の前記解剖学的構造体内の経時的な血流の特徴の変化に関する情報を明らかに明らかにすることを含む方法を実施するためのコンピュータ実行可能なプログラミング命令を含む、コンピュータシステム上で使用するための、非一時的なコンピュータ可読媒体。
（項目１１６）
前記時変患者固有のデータが、異なる時点の前記患者の前記解剖学的構造体の前記幾何学的形状に関連する、項目１１５に記載の非一時的なコンピュータ可読媒体。
（項目１１７）
前記患者固有のデータが、心周期にわたる異なる時点の画像データを含む、項目１１５に記載の非一時的なコンピュータ可読媒体。
（項目１１８）
前記患者の前記解剖学的構造体が、前記患者の複数の連結する動脈の少なくとも一部を含み、および
前記患者固有のデータが、前記複数の動脈の血管形状の変化に関する情報を含む、項目１１５に記載の非一時的なコンピュータ可読媒体。
（項目１１９）
前記複数の動脈が、前記患者の心臓、頸部、頭部、胸部、腹部、腕、または脚に位置する、項目１１８に記載の非一時的なコンピュータ可読媒体。
（項目１２０）
前記血流の特徴が、血圧、血液速度、または血流量のうちの少なくとも１つを含む、項目１１５に記載の非一時的なコンピュータ可読媒体。
（項目１２１）
患者の心血管情報を明らかにするためのシステムであって、
前記患者の解剖学的構造体であって、血管の少なくとも一部を含む解剖学的構造体の少なくとも一部の幾何学的形状および少なくとも１つの材料特性に関する患者固有のデータを受信し、
前記患者固有のデータに基づく前記患者の前記解剖学的構造体を表す三次元モデルを作成し、
前記三次元モデルおよび前記患者の生理学的状態に基づいて、前記患者の前記解剖学的構造体内の血流の特徴に関する情報を明らかにし、
前記血管内のプラークの位置を特定するように構成される少なくとも１つのコンピュータシステムを備える、システム。
（項目１２２）
前記少なくとも１つのコンピュータシステムが、前記プラークに対する応力、圧力、力、またはひずみのうちの少なくとも１つを特定するようにさらに構成される、項目１２１に記載のシステム。
（項目１２３）
前記少なくとも１つのコンピュータシステムが、前記プラークの破裂に対する脆弱性を評価するようにさらに構成される、項目１２１に記載のシステム。
（項目１２４）
前記少なくとも１つのコンピュータシステムが、前記プラークの力の前記プラークの応力に対する比に基づいて、前記プラークの破裂に対する脆弱性を評価するようにさらに構成される、項目１２３に記載のシステム。
（項目１２５）
前記強度が、前記プラークの材料特性に基づいて明らかにされ、
前記応力は、前記プラークに対する血流力または心臓運動によって誘発されるひずみによる、急激または累積的な応力を含む、項目１２４に記載のシステム。
（項目１２６）
前記患者の前記生理学的状態が、前記患者の心拍出量、心拍数、一回拍出量、血圧、労作または運動のレベル、充血のレベル、または薬物療法のうちの少なくとも１つを含む、項目１２１に記載のシステム。
（項目１２７）
前記位置が、前記少なくとも１つのコンピュータシステムによって、またはユーザからの入力に基づいて特定される、項目１２１に記載のシステム。
（項目１２８）
少なくとも１つのコンピュータシステムを用いて患者の心血管情報を明らかにするための方法であって、
少なくとも１つのコンピュータシステムを用いて、前記患者の解剖学的構造体であって、
血管の少なくとも一部を含む解剖学的構造体の少なくとも一部の幾何学的形状および少なくとも１つの材料特性に関する患者固有のデータを受信することと、
前記少なくとも１つのコンピュータシステムを用いて、前記患者固有のデータに基づく前記患者の前記解剖学的構造体を表す三次元モデルを作成することと、
前記少なくとも１つのコンピュータシステムを用いて、前記三次元モデルおよび前記患者の生理学的状態に基づいて、前記患者の前記解剖学的構造体内の血流の特徴に関する情報を明らかにすることと、
前記少なくとも１つのコンピュータシステムを用いて、前記血管内のプラークを特定することと、を含む、方法。
（項目１２９）
前記プラークが、前記少なくとも１つのコンピュータシステムによって、またはユーザからの入力に基づいて特定される、項目１２８に記載の方法。
（項目１３０）
前記プラークの表面に作用する圧力、力、またはせん断応力のうちの少なくとも１つを計算することをさらに含む、項目１２８に記載の方法。
（項目１３１）
圧力、力、またはせん断応力のうちの前記少なくとも１つが、前記血流の特徴に関する前記決定された情報に基づいて計算される、項目１３０に記載の方法。
（項目１３２）
前記血流の特徴が、血圧、血液速度、または血流量のうちの少なくとも１つを含む、項目１２８に記載の方法。
（項目１３３）
前記患者固有のデータが、異なる時点における前記患者の前記解剖学的構造体の少なくとも一部の前記幾何学的形状に関する時変データを含む、項目１２８に記載の方法であって、
経時的な前記プラークの変形に関する情報を明らかにすることをさらに含む、方法。
（項目１３４）
経時的な前記プラークの変形に関する前記情報が、
長手方向の延長、長手方向の短縮、ねじれ、半径方向の拡張、半径方向の圧縮、または屈曲のうちの少なくとも１つを含む、項目１３３に記載の方法。
（項目１３５）
非一時的なコンピュータ可読媒体であって、患者の心血管情報を明らかにするための方法であって、
前記患者の解剖学的構造体であって、血管の少なくとも一部を含む解剖学的構造体の少なくとも一部の幾何学的形状および少なくとも１つの材料特性に関する患者固有のデータを受信することと、
前記患者固有のデータに基づく前記患者の前記解剖学的構造体を表す三次元モデルを作成することと、
前記三次元モデルおよび前記患者の生理学的状態に基づいて、前記患者の前記解剖学的構造体内の血流の特徴に関する情報を明らかにすることと、および
前記血管内のプラークの位置を特定することと、を含む方法を実施するためのコンピュータ実行可能なプログラミング命令を含む、コンピュータシステム上で使用するための、非一時的なコンピュータ可読媒体。
（項目１３６）
前記解剖学的構造体が、複数の動脈および前記複数の動脈の少なくとも一部と連結する組織の少なくとも一部を含み、前記方法が、
前記プラークの潜在的な破裂の影響を受ける前記解剖学的構造体の組織セグメントを特定することをさらに含む、項目１３５に記載の非一時的コンピュータ可読媒体。
（項目１３７）
前記方法が、前記プラークの前記潜在的破裂後の潜在的な経路を明らかにすることをさらに含む、項目１３６に記載の非一時的なコンピュータ可読媒体。
（項目１３８）
前記方法が、前記プラークのサイズ、または前記プラークの下流の前記血管の少なくとも一部のサイズのうちの少なくとも１つに基づいて、前記組織セグメントが前記プラークの前記潜在的な破裂の影響を受け得るか否かを明らかにすることをさらに含む、項目１３６に記載の非一時的なコンピュータ可読媒体。
（項目１３９）
前記方法が、複数の組織セグメントの１つ１つに視覚的指標を提供することをさらに含み、各視覚的指標が、前記プラークの前記潜在的な破裂により前記それぞれの組織セグメントに影響を与える可能性を示す、項目１３６に記載の非一時的なコンピュータ可読媒体。
（項目１４０）
前記解剖学的構造体が、複数の動脈の少なくとも一部と、前記複数の動脈の少なくとも一部に連結する組織とを含み、前記方法が、
前記プラークの潜在的な破裂による前記組織の少なくとも一部への血流の変化を明らかにすることをさらに含む、項目１３５に記載の非一時的なコンピュータ可読媒体。
（項目１４１）
患者の心血管情報を明らかにするためのシステムであって、
前記患者の解剖学的構造体であって、複数の動脈の少なくとも一部と、前記複数の動脈の少なくとも一部と連結する組織とを含む解剖学的構造体の少なくとも一部の幾何学的形状に関する患者固有のデータを受信し、
前記患者固有のデータに基づく前記患者の前記解剖学的構造体を表す三次元モデルを作成し、
前記組織を表す前記三次元モデルの少なくとも一部をセグメントに分割し、
前記三次元モデルおよび前記患者の生理学的状態に基づいて、前記セグメントのうちの少なくとも１つと関連する血流の特徴に関する情報を明らかにするように構成された少なくとも１つのコンピュータシステムを備える、システム。
（項目１４２）
前記血流の特徴が、前記少なくとも１つのセグメントに入る血流を含む、項目１４１に記載のシステム。
（項目１４３）
前記少なくとも１つのコンピュータシステムが、前記セグメントのうちの少なくとも１つをサブセグメントにさらに分割するようにさらに構成され、および
前記血流の特徴が、前記サブセグメントのうちの少なくとも１つに入る血流を含む、項目１４１に記載のシステム。
（項目１４４）
前記少なくとも１つのコンピュータシステムが、所望の分解能が得られるまで前記セグメントをさらに分割するようにさらに構成される、項目１４１に記載のシステム。
（項目１４５）
前記組織が前記複数の動脈の下流にある、項目１４１に記載のシステム。
（項目１４６）
前記複数の動脈が、前記患者の頭部または心臓に少なくとも部分的に位置し、
前記組織が心筋組織または脳組織を含む、項目１４１に記載のシステム。
（項目１４７）
前記少なくとも１つのコンピュータシステムが、前記それぞれのセグメントに連結する前記複数の動脈のうちの少なくとも１つの動脈のサイズに基づいて、前記セグメントのサイズを特定明らかにするようにさらに構成される、項目１４１に記載のシステム。
（項目１４８）
前記患者の前記生理学的状態が、前記患者の心拍出量、心拍数、一回拍出量、血圧、労作または運動のレベル、充血のレベル、または薬物療法のうちの少なくとも１つを含む、項目１４１に記載のシステム。
（項目１４９）
前記少なくとも１つのコンピュータが、複数の前記セグメントに関連する前記血流の特徴に関する前記情報を示す前記解剖学的構造体の三次元シミュレーションを作製するようにさらに構成される、項目１４１に記載のシステム。
（項目１５０）
前記血流の特徴が前記それぞれのセグメントに入る血流を含み、前記それぞれのセグメントに入る前記血流の変動が色または陰影の変動によって示される、項目１４９に記載のシステム。
（項目１５１）
少なくとも１つのコンピュータシステムを用いて患者の心血管情報を明らかにするための方法であって、
少なくとも１つのコンピュータシステムを用いて、前記患者の解剖学的構造体であって、複数の動脈の少なくとも一部と、前記複数の動脈の少なくとも一部に連結する組織とを含む解剖学的構造体の少なくとも一部の幾何学的形状に関する患者固有のデータを受信することと、
前記少なくとも１つのコンピュータシステムを用いて、前記患者固有のデータに基づく前記患者の前記解剖学的構造体を表す三次元モデルを作成することと、
前記少なくとも１つのコンピュータシステムを用いて、前記三次元モデルを拡張して拡大モデルを形成することと、
前記少なくとも１つのコンピュータシステムを用いて、前記組織を表す前記拡大モデルの少なくとも一部をセグメントに分割することと、および
前記少なくとも１つのコンピュータシステムを用いて、前記拡大モデルおよび前記患者の生理学的状態に基づいて、前記セグメントのうちの少なくとも１つに関連する血流の特徴に関する情報を明らかにすることと、を含む、方法。
（項目１５２）
前記三次元モデルを拡張することが、前記三次元モデルに含まれる前記動脈のうちの少なくとも１つを拡張することを含み、
前記拡大モデルの前記少なくとも１つの部分を分割することが、前記少なくとも１つの動脈の拡張された部分をセグメントに分割することを含み、および
前記血流の特徴に関する前記情報が、前記拡張された部分の前記セグメントのうちの少なくとも１つに関連する、項目１５１に記載の方法。
（項目１５３）
前記三次元モデルを拡張することが、前記三次元モデルに含まれる前記動脈のうちの少なくとも１つに連結する動脈の追加の分枝を作成することを含み、
前記拡大モデルの前記少なくとも１つの部分を分割することが、前記追加の分枝のうちの少なくとも１つをセグメントに分割することを含み、および
前記血流の特徴に関する前記情報が、前記少なくとも１つの追加の分枝の前記セグメントのうちの少なくとも１つに関連する、項目１５１に記載の方法。
（項目１５４）
前記それぞれのセグメントに連結する前記複数の動脈のうちの少なくとも１つの動脈のサイズに基づいて、前記セグメントのサイズを特定することをさらに含む、項目１５１に記載の方法。
（項目１５５）
前記それぞれのセグメントに連結する複数の隣接する動脈のサイズに基づいて、前記セグメントのサイズを特定することをさらに含む、項目１５１に記載の方法。
（項目１５６）
前記複数の動脈が、前記患者の頭部または心臓に少なくとも部分的に位置し、
前記組織が心臓組織または脳組織を含み、
前記三次元モデルに含まれる前記複数の動脈のうちの少なくとも１つの動脈が、前記心臓組織または前記脳組織に沿って、または前記心臓組織または前記脳組織内で拡張されるように、前記三次元モデルが拡張される、項目１５１に記載の方法。
（項目１５７）
非一時的なコンピュータ可読媒体であって、患者の心血管情報を明らかにするための方法であって、
前記患者の解剖学的構造体であって、複数の動脈の少なくとも一部と、前記複数の動脈の少なくとも一部と連結する組織とを含む解剖学的構造体の少なくとも一部の幾何学的形状に関する患者固有のデータを受信することと、
前記患者固有のデータに基づく前記患者の前記解剖学的構造体を表す三次元モデルを作成することと、
前記組織を表す前記三次元モデルの少なくとも一部をセグメントに分割することと、および
前記三次元モデルおよび前記解剖学的構造体に関連する物理学に基づくモデルに基づいて、前記セグメントのうちの少なくとも１つに関連する血流の特徴に関する情報を明らかにすることと、を含む方法を実施するためのコンピュータ実行可能なプログラミング命令を含む、コンピュータシステム上で使用するための、非一時的なコンピュータ可読媒体。
（項目１５８）
前記方法が、
前記明らかにされた情報を前記解剖学的構造体中の複数の位置における前記血流の特徴に関する測定された情報と比較することと、および
前記比較に応じて、前記三次元モデルまたは前記物理学に基づくモデルを調整することを含む、項目１５７に記載の非一時的なコンピュータ可読媒体。
（項目１５９）
前記物理学に基づくモデルが、前記三次元モデルの境界を通る血流を表す少なくとも１つの集中パラメータモデルを含み、および
前記少なくとも１つの集中パラメータモデルが前記比較に基づいて調整される、項目１５８に記載の非一時的なコンピュータ可読媒体。
（項目１６０）
前記三次元モデルまたは前記物理学に基づくモデルが、前記明らかにされた情報と前記測定された情報との差が閾値を下回るまで調整される、項目１５８に記載の非一時的なコンピュータ可読媒体。
（項目１６１）
前記三次元モデルが、前記明らかにされた情報と前記測定された情報との差が閾値を下回るまで前記三次元モデルを拡張することによって調節される、項目１５８に記載の非一時的なコンピュータ可読媒体。
（項目１６２）
患者の心血管情報を明らかにするためのシステムであって、
前記患者の脳の幾何学的形状に関する患者固有のデータを受信し、
前記患者固有のデータに基づいて前記患者の脳の少なくとも一部を表す三次元モデルを作成し、および
前記三次元モデルおよび前記患者の脳に関連する物理学に基づくモデルに基づいて、前記患者の脳内の血流の特徴に関する情報を明らかにするように構成された少なくとも１つのコンピュータシステムを含む、システム。
（項目１６３）
前記患者の脳の少なくとも前記一部を表す前記三次元モデルが、複数の大脳動脈の少なくとも一部を含む、項目１６２に記載のシステム。
（項目１６４）
前記血流の特徴が、前記複数の大脳動脈内の複数の位置における血流、血圧、または血液速度のうちの少なくとも１つを含む、項目１６３に記載のシステム。
（項目１６５）
前記患者固有のデータが画像データを含む、項目１６２に記載のシステム。
（項目１６６）
頭蓋外動脈の少なくとも一部、頭蓋内動脈の少なくとも一部、または脳組織のうちの少なくとも１つの前記画像データが提供される、項目１６５に記載のシステム。
（項目１６７）
前記画像データが、コンピュータ断層撮影または磁気共鳴画像化技術によって提供される、項目１６５に記載のシステム。
（項目１６８）
前記少なくとも１つのコンピュータシステムが、前記画像データを用いて複数の大脳動脈内腔の境界の位置を特定することによって、前記画像データに基づく前記三次元モデルを作成するように構成される、項目１６５に記載のシステム。
（項目１６９）
前記少なくとも１つのコンピュータシステムが、前記画像データにおける輝度値の変化に基づいて前記境界の位置を特定するように構成される、項目１６８に記載のシステム。
（項目１７０）
前記物理学に基づくモデルが、前記三次元モデルの境界を通る血流を表す少なくとも１つの集中パラメータモデルを含む、項目１６２に記載のシステム。
（項目１７１）
前記少なくとも１つのコンピュータシステムが、運動のレベル、労作、ストレス、高血圧、または低血圧、あるいは薬物療法のうちの少なくとも１つに関連するパラメータを用いて、前記血流の特徴の関する前記情報を明らかにするように構成される、項目１６２に記載のシステム。
（項目１７２）
前記少なくとも１つのコンピュータシステムが、前記運動のレベル、労作、ストレス、高血圧、または低血圧に関連するパラメータを用いて、前記血流の特徴に関する前記情報を明らかにするように構成され、前記パラメータが、前記患者の大脳動脈抵抗、前記患者の大動脈血圧、または前記患者の心拍数に関連する、項目１７１に記載のシステム。
（項目１７３）
少なくとも１つのコンピュータシステムを用いて患者固有の心血管情報を明らかにするための方法であって、
前記少なくとも１つのコンピュータシステムに、前記患者の複数の大脳動脈の少なくとも一部の幾何学的形状に関する患者固有のデータを入力することと、
前記少なくとも１つのコンピュータシステムを用いて、前記患者固有のデータに基づく前記患者の前記大脳動脈の少なくとも前記一部を表す三次元モデルを作成することと、および
前記少なくとも１つのコンピュータシステムを用いて、前記三次元モデルおよび前記患者の前記大脳動脈に関連する物理学に基づくモデルに基づいて、前記患者の前記大脳動脈内の血流の特徴に関する情報を明らかにすることと、を含む、方法。
（項目１７４）
前記血流の特徴が、前記患者の前記大脳動脈内の複数の位置における、血流、血圧、または血液速度のうちの少なくとも１つを含む、項目１７３に記載の方法。
（項目１７５）
前記大脳動脈が、頭蓋外動脈または頭蓋内動脈のうちの少なくとも１つを含む、項目１７３に記載の方法。
（項目１７６）
前記三次元モデルが、大動脈の一部、頸動脈の一部、椎骨動脈の一部、または脳組織の一部のうちの少なくとも１つを含む、項目１７３に記載の方法。
（項目１７７）
前記患者固有のデータが、前記大脳動脈の少なくとも前記一部の画像データを含み、および前記三次元モデルを作成することが、前記画像データを用いて、前記大脳動脈の少なくとも前記一部の境界を配置することを含む、項目１７３に記載の方法。
（項目１７８）
前記境界の位置が、前記画像データにおける輝度値の変化に基づいて特定される、項目１７７に記載の方法。
（項目１７９）
前記大脳動脈が少なくとも１つの頭蓋外動脈を含む項目１７３に記載の方法であって、前記少なくとも１つの頭蓋外動脈内のプラークを特定することと、および
前記少なくとも１つのコンピュータシステムを用いて前記プラークの破裂に対する脆弱性を評価することと、をさらに含む、方法。
（項目１８０）
前記血流の特徴に関する前記明らかにされた情報が第１の情報である項目１７３に記載の方法であって、
前記三次元モデルを修正することと、
前記修正三次元モデルに基づいて、前記患者の前記解剖学的構造体内の前記血流の特徴に関する第２の情報を明らかにすることと、をさらに含む、方法。
（項目１８１）
前記三次元モデルが、少なくとも１つの血管の閉塞、または前記閉塞の修復のうちの少なくとも１つを模擬するように修正される、項目１８０に記載の方法。
（項目１８２）
非一時的なコンピュータ可読媒体であって、患者固有の心血管情報を明らかにするための方法であって、
前記患者の脳の幾何学的形状に関する患者固有のデータを受信することと、
前記患者固有のデータに基づいて前記患者の脳の少なくとも一部を表す三次元モデルを作成することと、および
前記三次元モデルおよび前記患者の脳に関連する物理学に基づくモデルに基づいて、前記患者の脳内の血流の特徴に関する情報を明らかにすることを含む、方法を実行するためのコンピュータ実行可能なプログラミング命令を含む、少なくとも１つのコンピュータシステム上で使用するための、非一時的なコンピュータ可読媒体。
（項目１８３）
前記方法が、
３つの次元に沿った前記患者の複数の大脳動脈の少なくとも一部の複数の位置における前記血流の特徴に関する前記情報を表す前記患者の脳の三次元シミュレーションを作製することをさらに含む、項目１８２に記載の非一時的なコンピュータ可読媒体。
（項目１８４）
前記血流の特徴に関する前記情報が、前記三次元シミュレーション上に色または陰影を用いて示され、前記血流の特徴に関する前記情報の変動が、色または陰影の変動によって示される、項目１８３に記載の非一時的なコンピュータ可読媒体。